(57)【要約】【課題】山間部等においても安価に電力供給を行うことができる電力供給システムを提供することである。【解決手段】通信ケーブル１２とこの通信ケーブル１２を介して与えられる中央指令室からの指令により開閉が行われるスイッチが接続された電源線１１とを外部に接続するための機器接続部１０を備えた電柱２と、外部機器２３が接続されるコンセント２４と携帯電話コネクタ部２５とを有するとともに前記通信ケーブル１２を介して使用者の認証を行う認証手段が設けられて前記電柱２の前記機器接続部１０に分離可能に接続される制御ボックス１７とよりなる電力供給システムである。【選択図】図１
2007299086.tif 000002
【特許請求の範囲】
【請求項１】
通信ケーブルとこの通信ケーブルを介して与えられる中央指令室からの指令により開閉が行われるスイッチが接続された電源線とを外部に接続するための機器接続部を備えた電柱と、外部機器が接続されるコンセントと携帯電話コネクタ部とを有するとともに前記通信ケーブルを介して使用者の認証を行う認証手段が設けられて前記電柱の前記機器接続部に分離可能に接続される制御ボックスとよりなることを特徴とする電力供給システム。
【請求項２】
前記認証手段は、免許証を読み取るＯＣＲにより形成されていることを特徴とする請求項１記載の電力供給システム。
【請求項３】
前記認証手段は、クレジットカードを読み取るカードリーダにより形成されていることを特徴とする請求項１記載の電力供給システム。
【請求項４】
前記認証手段は、携帯電話の番号読取手段により形成されていることを特徴とする請求項１記載の電力供給システム。
【発明の詳細な説明】
【技術分野】
【０００１】
本発明は、電力を供給すべきエリアに隈なく電力供給を行うように電源線を張り巡らせるのに用いられる電柱を利用してその電柱の設置位置で電力供給を行うことができるようにした電力供給システムに関する。
【背景技術】
【０００２】
従来、給電手段が設けられていない山間部などにおいて動力を必要とするなんらかの作業を行う場合には、可搬式の発電機を現場に持参して自家発電により電力を得ている。また、山間部で車が故障した場合などには故障修理や点検のために照明が必要になるが携帯する懐中電灯以外には照明手段を得ることができない。また、携帯電話の充電は、高速道路のパーキングエリア等では有料で充電可能な設備があるが、山間部等においては携帯電話への充電を行うことができない。
【０００３】
【特許文献１】実用新案登録第３０６６２５４号公報
【発明の開示】
【発明が解決しようとする課題】
【０００４】
給電手段が設けられていない山間部などにおいて、電気自動車や電動式農機具等を使用してなんらかの作業、例えば、道路工事を行う場合等においては、可搬式の発電機の使用がなされているが、このような発電機は比較的重量が大きなものであり、持ち運びの手間と労力が大変である。また、発電機自体のコストが高く、しかも、ランニングコストもかかるものである。このようなことから、仮設の電柱を立てて臨時に電源線を引き込むことも行われているが、この場合には、電柱を仮設する手間や費用がかかり、立てた場所によっては地主やそれに関連する人との間でトラブルが発生する可能性もある。
【０００５】
また、前述のように、個人レベルにおいて夜間に山間部で車が故障した場合など、軽微な修理で修復可能な状態であったとしても修理時の照明を確保することが困難であるという問題がある。さらに、携帯電話に関しても、登山等の途中で電源が切れた場合、その電源を補充することができない。特に、登山者救出作業等の非常事態に電源がなくて不便な場合が多い。
【０００６】
このようなことから、従来、特許文献１に記載されているように、電力を供給すべきエリアに隈なく電力供給を行うために用いられる電柱にコンセントを設置することが開示されている。しかしながら、電柱にコンセントを設置することは、電柱に、引き込みケーブルを接続するための制御部、および、コンセントを有する操作部を外付けすることが必要であり、簡単には実施できない。また、コンセントが外部に露出しており、雨、埃等がコンセントの接続部に入り込み易く、これらの故障の原因となる。また、電柱の外側面にコンセントを有する操作部等が取り付けられているため、この操作部等が電柱の外側面から突出した状態となり、外観を損ねる。さらに、操作部等は、電柱の外側面の人の手が届き易い位置に取り付けられているため、突出した操作部が人や車等の通行の妨げとなるおそれがある。
【０００７】
このようなことから、本特許出願人から特願２００５-１９６７１１号の特許出願がなされ、電柱の内部に電源接続部等を配設し、この電源接続部を蓋により閉止して外部から遮断するようにした発明が提案されている。これにより、特許文献１に記載された発明の欠点をすべて解決することができ、その意味ではきわめて有用なものである。しかしながら、それぞれの電柱に電源接続部を構成する部品を取り付けなければならないものであり、コスト的な観点からは解決しなければならない課題が多くある。
【課題を解決するための手段】
【０００８】
本発明は、通信ケーブルとこの通信ケーブルを介して与えられる中央指令室からの指令により開閉が行われるスイッチが接続された電源線とを外部に接続するための機器接続部を備えた電柱と、外部機器が接続されるコンセントと携帯電話コネクタ部とを有するとともに前記通信ケーブルを介して使用者の認証を行う認証手段が設けられて前記電柱の前記機器接続部に分離可能に接続される制御ボックスとよりなる電力供給システムである。
【発明の効果】
【０００９】
したがって、外部機器が接続されるコンセントと携帯電話のコネクタ部とを有するとともに通信ケーブルを介して使用者の認証を行う認証手段が設けられて電柱の機器接続部に分離可能に接続される制御ボックスは、使用者が所持すれば、いずれの電柱においても電力供給を得ることができ、これにより、きわめて設備費の安い状態で山間部等においても簡易に電力を得ることができ、特願２００５-１９６７１１号で提案された有用点を維持しつつ実用化を一層容易にすることができるものである。とくに、制御ボックスには、外部機器が接続されるコンセントと携帯電話のコネクタ部とを有するとともに通信ケーブルを介して使用者の認証を行う認証手段が設けられているので、これらの主要部品を外気に晒すことなく安定に維持することができ、しかも、携帯可能な制御ボックスに設けられているということは、コストの高いこれらの装置の数を減少させることができるものであり、また、電気料金の引き落としを行うことも容易であり、使用者の認定手段の種類も、免許証やクレジットカード、携帯電話の番号読取等、多岐にわたらせることが可能なものである。
【発明を実施するための最良の形態】
【００１０】
本発明の実施の態様を図面に基づいて説明する。まず、図１において、電力を供給すべきエリアに隈なく電力供給を行う配電線１を張り巡らせるための中空の電柱２が各所に立設されている。この電柱２には、腕金３が水平に取り付けられており、この腕金３により前記配電線１は保持されている。この配電線１は、電力供給の本来の機能の他に、中央司令室４（図２参照）に接続された情報伝達手段として作用する通信線としての機能をも有する。そして、前記腕金３に取り付けられた引込分岐端子箱５には前記配電線１が接続されていると共に、引込ケーブル６を介して前記電柱２の内部に設けられた端子基板７が接続されている。この端子基板７は、開閉蓋８により覆われて雨露がかからないように配慮されている。また、作業員等が操作し易い高さに設定された前記電柱２の下方には、開閉蓋９が設けられ、この開閉蓋９の内部には、機器接続部１０が設けられている。この機器接続部１０と前記端子基板７とは、図２に示すように、電源線１１と通信ケーブル１２とよりなる接続ケーブル１３により接続されている。そして、前記機器接続部１０は、後述する制御ボックスが接続される接続部１４と前記電源線１１による電力供給の接続遮断を行うスイッチ１５と、前記通信ケーブル１２に接続されて前記スイッチ１５の開閉を行う開閉制御部１６とよりなっている。
【００１１】
ついで、図１及び図３に基づいて制御ボックス１７の構造を説明する。この制御ボックス１７は、小型に形成された携帯可能なものであり、その一端には、前記接続部１４に接続される接続部１８を備えている。この接続部１８は、ＲＯＭ１９及び記憶部としての機能を有するＲＡＭ２０が接続されている制御部２１に接続されている。この制御部２１には、電流測定部２２を介して外部機器２３に電気的接続を可能にする複数のコンセント２４が接続されている。これらのコンセント２４に接続される外部機器２３としては、電気自動車や電動式農機具、或いは、照明器具等である。また、前記電流測定部２２には、携帯電話の充電を行うための携帯電話コネクタ部２５が接続されている。これらのコンセント２４及び携帯電話コネクタ部２５は、前記制御ボックス１７の前面に配置されている。また、前記制御ボックス１７の前面には、表示部２６、操作部２７、カードリーダ２８、ＯＣＲ（光学読取装置）２９がそれぞれ配置され、これらの表示部２６、操作部２７、カードリーダ２８、ＯＣＲ２９は、前記制御部２１に接続されている。前記カードリーダ２８は使用者のクレジットカードその他のカード３０の読取を行うものであり、前記ＯＣＲ２９は使用者の運転免許証３１の読取を行うものである。このクレジットカードその他のカード３０の読取、運転免許証３１の読取、あるいは、前記携帯電話コネクタ部２５に接続された携帯電話３２の番号読取を行うことにより、前記中央司令室４においては、使用者の特定もしくは認定を行うものであり、これにより、認証手段が構成されている。
【００１２】
このような構成において、山間部等で電力を必要とする場合には、電柱２の開閉蓋９を開いて機器接続部１０を露出させ、この機器接続部１０に制御ボックス１７の接続部１８を接続する。この制御ボックス１７は、携帯型のものであり、電力会社等からのレンタルとして利用される。勿論、使用者が自己所有のものとして保持することも可能である。このように、電柱２に制御ボックス１７を取り付けた後、使用者は、認証手段により電力会社による認証を受ける。この認証に関しては、前述のように幾通りかの手段がある。すなわち、その一つの手段として、クレジットカードやプリペイドカード等のカード３０をカードリーダ２８に挿入し、操作部２７を操作して認証手続を開始する。このときの認証手続に関しては、表示部２６に手順が表示されるので、この表示された手順に従う。この読取データは、接続ケーブル１３の通信ケーブル１２を経て中央司令室４に伝送され、使用者の特定がなされた後、電力供給が認容される。すなわち、使用者は予め電力会社に登録されているか、あるいは、クレジット会社の登録がなされて決済処理が確実であることを条件に電力供給が認容されるものであり、その認容がなされると、通信ケーブル１２を経て開閉制御部１６に信号が送られ、スイッチ１５を閉止して電源線１１からの電力供給を可能とする。これにより、コンセント２４に外部機器２３を接続すれば、その外部機器２３に電力が供給されることになり、その使用が可能になる。この外部機器２３の動作時における消費電力は、電流測定部２２で測定されており、消費電力はＲＡＭ２０に記憶される。この消費電力は、中央司令室４においても記録されている。この中央司令室４における記録と制御ボックス１７における記録とが一致している状態においては、外部機器２３への給電は継続するが、何らかの理由により、その一致が取れなくなったときには、給電停止の指令が中央司令室４から出力され、給電は停止し、給電のための手続を最初からやり直す状態になる。
【００１３】
また、使用者の認証の方法として第二の手段は、運転免許証３１を使用することが挙げられる。この場合には、ＯＣＲ２９に運転免許証３１をかざしてその内容を読み取らせ、予め定めた項目の認定により給電を認証する。さらに、第三の手段としては、携帯電話３２を携帯電話コネクタ部２５にセットし、その携帯電話３２の電話番号を認識させることにより給電の可否を判定する。なお、携帯電話３２を携帯電話コネクタ部２５にセットした状態においては、ＩＰ電話で電話ができるように構成されている。そのため、携帯電話３２の電波が届かない場所においても中央司令室４との交信が可能なものである。
【００１４】
このようにして外部機器２３への給電を電柱２の立設位置で行うことができるが、必要な電力の供給を受けた後に作業を停止する場合には、使用停止操作を行い、制御ボックス１７を電柱２から取り外し、開閉蓋９を閉止する。このようにして使用した電力の料金は、電力供給前に使用者の特定がなされているため、その使用者の振替口座等に請求が行われ、清算される。
【００１５】
なお、制御ボックス１７のコンセント２４に印加される電圧は、図示しない変圧器により１００Ｖ又は２００Ｖに降圧されているものであり、電柱２で保持している配電線１で給電されている高圧によるものとは相違する。
【００１６】
つぎに、山間部において、携帯電話３２の電源が低下して使用不能になった場合でも、その携帯電話３２を携帯電話コネクタ部２５にセットして、前述の外部機器２３に電力を供給する場合と同様な操作を行うことにより、その携帯電話３２への充電が可能である。勿論、この場合においても、携帯電話３２に供給される電力は、電流測定部２２で測定されているため、使用者に対する課金は間違いなく行われる。
【００１７】
なお、機器接続部１０を備えた電柱２の設置条件としては、
（１）山間部、山間の車道等で周囲に電源が取れない場所
（２）携帯電話３２の電波が届かない場所
（３）今後、公共設備等の工事が予想される場所
（４）事故や災害等が起こった場合の対応・処理等に電源が必要と思われる場所
等である。
【００１８】
このように、部品コストが高い制御ボックス１７は、使用者が持参するものであり、その数は使用者に限られるため、本数の多い電柱２に高価な構成のユニットを設ける必要がなく、電力供給システムを構築する費用が低くて済むものである。
【図面の簡単な説明】
【００１９】
【図１】本発明の実施の態様を示すもので、電柱と制御ボックスとを示す正面図である。
【図２】電柱の内部構成を示すブロック図である。
【図３】制御ボックスの内部構成を示すブロック図である。
【図４】使用時の手順を示すフローチャートである。
【符号の説明】
【００２０】
２    電柱
１０    機器接続部
１１    電源線
１２    通信ケーブル
１７    制御ボックス
２３    外部機器
２４    コンセント
２５    携帯電話コネクタ部
【図１】
2007299086.tif 000003
【図２】
2007299086.tif 000004
【図３】
2007299086.tif 000005
【図４】
2007299086.tif 000006